(57)【要約】【課題】  電源遮断によりネットワークプリントが中断されてしまった場合、その後電源再投入時に途中までプリント出力された枚数と紙詰まり情報を送信者に電子メールで通知することにより、無駄なプリント出力を抑制する画像形成装置および画像形成システムを提供することを目的とする。【解決手段】  電源が遮断された後、バックアップ電源による電源供給が有効なうちにプリント枚数及び送信者の電子メールアドレスを不揮発のメモリに格納する。【選択図】        図１
2006231591.tif 000002
【特許請求の範囲】
【請求項１】
ネットワーク接続された端末装置からプリント要求および画像情報データを受信し、これらの受信データに基づいてプリントジョブを実行する画像形成装置であって、電源遮断を検知する電源遮断検知手段と、電源遮断された時に前記画像形成装置の電源をバックアップする為の電源供給手段と、前記電源遮断検知手段により電源が遮断されたと検知された時に、プリントジョブを実行中であった場合に、送信されてきた画像情報データから当該プリント要求を送信した端末装置の電子メールアドレスを検知するための電子メールアドレス検知手段と、前記電子メールアドレス検知手段により検知された電子メールアドレス、およびプリントジョブの処理状態を不揮発性メモリに格納する格納手段と、遮断されていた電源が回復した時に、前記不揮発性メモリ内の処理状態を参照し、まだ未処理のプリントジョブがある場合に、前記電子メールアドレス検知手段が検知した電子メールアドレスに対して、プリントジョブの処理状態を電子メールで送信する送信手段と、を備えることを特徴とする画像形成装置。
【請求項２】
前記電源供給手段は、大容量のコンデンサ等の非常に安価な物で構成されており、長時間の電源バックアップを目的としていないことを特徴とする請求項１に記載の画像形成装置。
【請求項３】
前記電子メールアドレスは、前記ネットワーク接続された端末装置において、自動的に前記画像情報データの中に書き込まれており、前記電子メールアドレス検知手段は、その画像情報データの中に書き込まれている前記電子メールアドレスを検知することを特徴とする請求項１に記載の画像形成装置。
【請求項４】
前記プリントジョブの処理状態は、例えば当該プリントジョブにおいて既に排紙されたページ数や、プリントジョブ処理中断フラグであり、前記格納手段によって不揮発性のメモリに格納されることを特徴とする請求項１に記載の画像形成装置。
【請求項５】
ネットワーク接続された端末装置からプリント要求および画像情報データを受信し、これらの受信データに基づいてプリントジョブを実行する画像形成装置であって、電源遮断を検知する電源遮断検知手段と、電源遮断された時に前記画像形成装置の電源をバックアップする為の電源供給手段と、前記電源遮断検知手段により電源が遮断されたと検知された時に、プリントジョブを実行中であった場合に、送信されてきた画像情報データから当該プリント要求を送信した端末装置の電子メールアドレスを検知するための電子メールアドレス検知手段と、前記電子メールアドレス検知手段により検知された電子メールアドレス、およびプリントジョブの処理状態を不揮発性メモリに格納する格納手段と、遮断されていた電源が回復した時に、前記不揮発性メモリ内の処理状態を参照し、まだ未処理のプリントジョブがある場合に、該画像形成装置内に用紙が滞留して用紙詰まりしているか否かを判定するジャム判定手段と、前記用紙詰まり判定手段により用紙詰まりしていると判定された時に、前記電子メールアドレス検知手段が検知した電子メールアドレスに対して、プリントジョブの処理状態に加え、用紙詰まり情報を電子メールで送信する送信手段と、を備えることを特徴とする画像形成装置。
【請求項６】
画像形成装置と端末装置とをネットワーク接続し、端末装置から画像形成装置に画像情報データを送信してプリントジョブを実行させる画像形成システムにおいて、電源遮断を検知する電源遮断検知手段と、電源遮断された時に前記画像形成装置の電源をバックアップする為の電源供給手段と、前記電源遮断検知手段により電源が遮断されたと検知された時に、プリントジョブを実行中であった場合に、送信されてきた画像情報データから当該プリント要求を送信した端末装置の電子メールアドレスを検知するための電子メールアドレス検知手段と、前記電子メールアドレス検知手段により検知された電子メールアドレス、およびプリントジョブの処理状態を不揮発性メモリに格納する格納手段と、遮断されていた電源が回復した時に、前記不揮発性メモリ内の処理状態を参照し、まだ未処理のプリントジョブがある場合に、前記電子メールアドレス検知手段が検知した電子メールアドレスに対して、プリントジョブの処理状態を電子メールで送信する送信手段と、を備えることを特徴とする画像形成システム。
【請求項７】
画像形成装置と端末装置とをネットワーク接続し、端末装置から画像形成装置に画像情報データを送信してプリントジョブを実行させる画像形成システムにおいて、電源遮断を検知する電源遮断検知手段と、電源遮断された時に前記画像形成装置の電源をバックアップする為の電源供給手段と、前記電源遮断検知手段により電源が遮断されたと検知された時に、プリントジョブを実行中であった場合に、送信されてきた画像情報データから当該プリント要求を送信した端末装置の電子メールアドレスを検知するための電子メールアドレス検知手段と、前記電子メールアドレス検知手段により検知された電子メールアドレス、およびプリントジョブの処理状態を不揮発性メモリに格納する格納手段と、遮断されていた電源が回復した時に、前記不揮発性メモリ内の処理状態を参照し、まだ未処理のプリントジョブがある場合に、該画像形成装置内に用紙が滞留して用紙詰まりしているか否かを判定する用紙詰まり判定手段と、前記用紙詰まり判定手段により用紙詰まりしていると判定された時に、前記電子メールアドレス検知手段が検知した電子メールアドレスに対して、プリントジョブの処理状態に加え、用紙詰まり情報を電子メールで送信する送信手段と、を備えることを特徴とする画像形成システム。
【発明の詳細な説明】
【技術分野】
【０００１】
本発明は、パーソナルコンピュータなどの端末装置にネットワーク接続され、電子メールの送信手段を備えている画像形成装置および画像形成システムに関するものである。
【背景技術】
【０００２】
近年、ＯＡ機器をネットワーク接続して共同で利用する形態が多くなってきている。特に、プリンタを多数のパーソナルコンピュータ（以下ＰＣと省略する）とネットワーク接続すれば、プリンタ資源を共有化してコストパフォーマンスに優れたプリンタシステムを形成することができる。
【０００３】
このようなプリンタシステムにおいては、まずＰＣからプリンタにプリント要求と共に一連の印字データをネットワークを介して転送する。プリンタは、これを受信して当該印字データを一旦画像メモリに格納し、この印字データに基づいてプリントを実行する（このような１個のプリント要求に基づいて実行されるプリント動作の単位を、以下「プリントジョブ」という）。
【０００４】
また、このように、ネットワークに接続されるプリンタでは、電子メールによる通信が可能とされているものも多い。たとえば、予め設定された電子メールアドレスに、印刷完了やエラーメッセージなどの特定の情報を通知することができるように構成されているものが知られている（例えば、特許文献１参照）。
【０００５】
通常、画像メモリは、比較的安価な揮発性メモリを使用しており、何らかの原因によりプリンタの電源が落ちてしまった場合には、受信した全てのプリンタジョブのデータが消去されて無効となってしまう。そのため、従来は、ユーザが再度プリントジョブのデータを端末装置から送り直さなければならなかった。しかし、ユーザにとっては、再度データを送り直すことは手間であると共に、プリンタが当該ＰＣから離れた場所にある場合には、そもそもプリンタの電源が落ちたことさえ知らない場合が多く、時間を見てプリンタの設置場所にプリントアウトされた用紙を取りにいったときに初めて自分のプリント要求が無効になったことを知る場合もある。何らかのトラブルによりプリンタの電源が遮断され、その後電源が復帰すると、未処理のプリントジョブの有無を確認し、未処理のプリントジョブがあれば、そのプリントジョブの要求元のＰＣに再送要求を行うものが知られている（例えば、特許文献２参照）。
【特許文献１】特開２００１−２１６１０５号公報
【特許文献２】特開平１１−１１２７２２号公報
【発明の開示】
【発明が解決しようとする課題】
【０００６】
しかしながら、上述のようにただ単純に再送要求のみを行う場合、そのプリントジョブが１００ページもの大量印刷であれば、また１ページ目から全ページのプリントジョブを送信する必要がある。電源遮断前に、仮に９８ページまで出力されていたとしても、再送要求がくれば最初から全ページプリントジョブを送ってしまうので、９８ページ分の用紙及び処理にかかる時間が無駄になってしまう。この場合、実際には最後の２ページ（９９、１００ページ）のみのプリントジョブを送信すれば無駄のないプリントが実行できることになる。
【０００７】
また、たとえ用紙が無駄になってもプリント出力できればまだ良いが、プリントジョブの処理中に電源が遮断されると、プリンタ内にプリント用紙が滞留することが多く、これが原因で電源が再投入時に用紙詰まりを生じるケースが非常に多い。この場合は、いくらＰＣからプリントジョブを送信しても、プリンタが用紙詰まりエラーを生じているのでプリント出力はされない。この場合も、時間を見てプリンタの設置場所にプリントアウトされた用紙を取りにいったときに初めて用紙詰まりが生じていることに気付いて、リカバリー処理を行うこともある。
【０００８】
本発明は、以上の点に着目して成されたもので、無駄なプリント出力を抑制する画像形成装置および画像形成システムを提供することを目的とする。
【課題を解決するための手段】
【０００９】
上記課題を解決するために、本発明の画像形成装置によれば、ネットワーク接続された端末装置からプリント要求および画像情報データを受信し、これらの受信データに基づいてプリントジョブを実行する画像形成装置であって、電源遮断を検知する電源遮断検知手段と、電源遮断された時に前記画像形成装置の電源をバックアップする為の電源供給手段と、前記電源遮断検知手段により電源が遮断されたと検知された時に、プリントジョブを実行中であった場合に、送信されてきた画像情報データから当該プリント要求を送信した端末装置の電子メールアドレスを検知するための電子メールアドレス検知手段と、前記電子メールアドレス検知手段により検知された電子メールアドレス、およびプリントジョブの処理状態を不揮発性メモリに格納する格納手段と、遮断されていた電源が回復した時に、前記不揮発性メモリ内の処理状態を参照し、まだ未処理のプリントジョブがある場合に、前記電子メールアドレス検知手段が検知した電子メールアドレスに対して、プリントジョブの処理状態を電子メールで送信する送信手段と、を備えることを特徴とする。
【００１０】
上記課題を解決するために請求項１記載の画像形成装置は、前記電源供給手段は、大容量のコンデンサ等の非常に安価な物で構成されており、長時間の電源バックアップを目的としていないことを特徴とする。
【００１１】
上記課題を解決するために請求項１記載の画像形成装置は、前記電子メールアドレスは、前記ネットワーク接続された端末装置において、自動的に前記画像情報データの中に書き込まれており、前記電子メールアドレス検知手段は、その画像情報データの中に書き込まれている前記電子メールアドレスを検知することを特徴とする。
【００１２】
上記課題を解決するために請求項１記載の画像形成装置は、前記プリントジョブの処理状態は、例えば当該プリントジョブにおける排出ページ数や、プリントジョブ処理中断フラグであり、前記格納手段によって不揮発性のメモリに格納されることを特徴とする。
【００１３】
上記課題を解決するために、本発明の画像形成装置によれば、ネットワーク接続された端末装置からプリント要求および画像情報データを受信し、これらの受信データに基づいてプリントジョブを実行する画像形成装置であって、電源遮断を検知する電源遮断検知手段と、電源遮断された時に前記画像形成装置の電源をバックアップする為の電源供給手段と、前記電源遮断検知手段により電源が遮断されたと検知された時に、プリントジョブを実行中であった場合に、送信されてきた画像情報データから当該プリント要求を送信した端末装置の電子メールアドレスを検知するための電子メールアドレス検知手段と、前記電子メールアドレス検知手段により検知された電子メールアドレス、およびプリントジョブの処理状態を不揮発性メモリに格納する格納手段と、遮断されていた電源が回復した時に、前記不揮発性メモリ内の処理状態を参照し、まだ未処理のプリントジョブがある場合に、該画像形成装置内に用紙が滞留して用紙詰まりしているか否かを判定するジャム判定手段と、前記用紙詰まり判定手段により用紙詰まりしていると判定された時に、前記電子メールアドレス検知手段が検知した電子メールアドレスに対して、プリントジョブの処理状態に加え、用紙詰まり情報を電子メールで送信する送信手段と、を備えることを特徴とする。
【００１４】
上記課題を解決するために、本発明の画像形成システムによれば、画像形成装置と端末装置とをネットワーク接続し、端末装置から画像形成装置に画像情報データを送信してプリントジョブを実行させる画像形成システムにおいて、電源遮断を検知する電源遮断検知手段と、電源遮断された時に前記画像形成装置の電源をバックアップする為の電源供給手段と、前記電源遮断検知手段により電源が遮断されたと検知された時に、プリントジョブを実行中であった場合に、送信されてきた画像情報データから当該プリント要求を送信した端末装置の電子メールアドレスを検知するための電子メールアドレス検知手段と、前記電子メールアドレス検知手段により検知された電子メールアドレス、およびプリントジョブの処理状態を不揮発性メモリに格納する格納手段と、遮断されていた電源が回復した時に、前記不揮発性メモリ内の処理状態を参照し、まだ未処理のプリントジョブがある場合に、前記電子メールアドレス検知手段が検知した電子メールアドレスに対して、プリントジョブの処理状態を電子メールで送信する送信手段と、を備えることを特徴とする。
【００１５】
上記課題を解決するために、本発明の画像形成システムによれば、画像形成装置と端末装置とをネットワーク接続し、端末装置から画像形成装置に画像情報データを送信してプリントジョブを実行させる画像形成システムにおいて、電源遮断を検知する電源遮断検知手段と、電源遮断された時に前記画像形成装置の電源をバックアップする為の電源供給手段と、前記電源遮断検知手段により電源が遮断されたと検知された時に、プリントジョブを実行中であった場合に、送信されてきた画像情報データから当該プリント要求を送信した端末装置の電子メールアドレスを検知するための電子メールアドレス検知手段と、前記電子メールアドレス検知手段により検知された電子メールアドレス、およびプリントジョブの処理状態を不揮発性メモリに格納する格納手段と、遮断されていた電源が回復した時に、前記不揮発性メモリ内の処理状態を参照し、まだ未処理のプリントジョブがある場合に、該画像形成装置内に用紙が滞留して用紙詰まりしているか否かを判定する用紙詰まり判定手段と、前記用紙詰まり判定手段により用紙詰まりしていると判定された時に、前記電子メールアドレス検知手段が検知した電子メールアドレスに対して、プリントジョブの処理状態に加え、用紙詰まり情報を電子メールで送信する送信手段と、を備えることを特徴とする。
【発明の効果】
【００１６】
本発明によれば、ネットワーク接続された端末装置からプリント要求および画像情報データとを受信してプリントジョブを実行する画像形成装置であって、不揮発性メモリにプリントジョブの処理状態および送信元の電子メールアドレスを記憶しておき、遮断されていた電源が回復したときに前記不揮発性メモリ内のプリントジョブの処理状態を参照して、まだ未処理のプリントジョブがある場合に、当該プリントジョブを要求した端末装置に対して電子メールで通知することにより、画像情報データの再送を要求することができる。
【００１７】
また、電源遮断前に排紙されたプリント枚数を通知することにより、必要なページのみを再度プリント要求することが可能になり、無駄な用紙出力を抑制することができる。さらに、電源を再投入した際に、画像形成装置内の紙搬送系に用紙が滞留して用紙詰まりが生じていた場合には、用紙詰まり情報も併せて電子メールで通知することにより、送信者は画像形成装置内で紙詰まりを起こしている用紙を取り除きに行く必要があることを知ることができる。
【発明を実施するための最良の形態】
【００１８】
以下、図面を参照して、本発明に係わる好適な実施の形態を説明する。
【実施例】
【００１９】
図１は、本発明を適用するネットワークプリントシステムの構成を示す図である。
【００２０】
図１において、１０１〜１０３はネットワーク端末装置であるホストコンピュータである。また、１０４、１０５は複合機、プリンタをそれぞれ示しており、カラープリンタ、モノクロプリンタ、レーザービームプリンタ、インクジェットプリンタもしくはマルチファンクションの複合機等それぞれ異なった性能を持ったものである。これらは全て、ネットワーク１００に接続されており、ホストコンピュータ１０１〜１０３により作成された印刷データをネットワーク１００を経由して、各プリンタ１０５および複合機１０４によって印刷することができる。
【００２１】
図２は、本発明の実施の形態に適用する画像処理装置のプリンタエンジン部の構成を示す断面図である。図２を用いて構成を説明する。
【００２２】
２０１は、ポリゴンミラーであり、半導体レーザより発光されたレーザ光を受ける。レーザ光はミラー２０２，２０３，２０４をへて感光ドラム２１０を走査する。一方、２０５は黒色のトナーを供給する現像器であり、レーザ光に従い、感光ドラム２１０上にトナー像を形成し、トナー像がシートに転写され、出力画像を得ることができる。
【００２３】
シートカセット２１２，２１３および，手差しトレイ２１１のいずれかより給紙されたシートは、レジストローラ２０６をへて、転写ベルト２０７上に吸着され、搬送される。給紙のタイミングを同期がとられて、予め感光ドラム２１０にはトナーが現像されており、シートの搬送とともに、トナーがシートに転写される。トナーが転写されたシートは、分離され、定着器２０９によって、トナーがシートに定着される。定着器２０９を抜けたシートはフラッパによりいったん下方向へ導かれてシートの後端がフラッパを抜けた後、スイッチバックさせて搬出する。これによりフェイスダウン状態で排出され、先頭頁から順にプリントしたときに正しいページ順となる。
【００２４】
図３は、プリンタコントローラのブロック図を示す。このプリンタコントローラは、ＬＡＮ  Ｉ／Ｆ３０５、ＣＰＵ３０１、ＲＯＭ３０４、不揮発性メモリ３０３、ＲＡＭ３０２、操作部Ｉ／Ｆ、エンジンＩ／Ｆ３０７および電源遮断検出回路３１１が、データバス３００を介して接続されて構成される。
【００２５】
図３において、ＬＡＮ  Ｉ／Ｆ３０５は、１００Ｂａｓｅ−Ｔや１０Ｂａｓｅ−Ｔ等各種プロトコルに対応してネットワークとの接続を可能にするネットワークインタフェース回路であり、ホストコンピュータ１０１〜１０３と通信を行い、プリンタ固有の言語（ＰＤＬ）で記述されたコード・データやイメージ・データを受ける。ホストコンピュータ１０１〜１０３は、プリントジョブを画像形成装置１０４、１０５に送信する時に、プリンタドライバにより送信者のメールアドレスが画像情報データの中に書き込まれ送信される。
【００２６】
電子メールアドレスは、通常、その送信者のＰＣに設定されているので、プリンタから送信者に通知させる場合には、その電子メールアドレスを自動的にプリントデータ中に読み込ませるようにしてもよい。そのようにすると、プリントデータを作成する毎に、その都度、発信者が、電子メールアドレスを入力して書き込む必要がなく、作業の簡易化を図ることができる。なお、このような、電子メールアドレスおよび送信要求情報は、より具体的には、プリンタ固有の言語（ＰＤＬ）に入力しておけばよい。また、このような電子メールアドレスおよび送信要求情報は、通常、プリントデータの先頭か最後に付加される。
【００２７】
ＣＰＵ３０１はプリンタコントローラの全体の制御を司る。ＲＯＭ３０２はＣＰＵ３０１の制御プログラムやフォント・データ等を格納している。ＲＡＭ３０２はＣＰＵ３０１のワーク・エリアや不図示のレンダラにより、レンダリングされた画像データを格納する。不揮発性メモリ３０３は、プリンタの環境変数の他、後述するジョブ処理中断フラグや電子メールアドレス、排紙ページ数などを格納する。また、不揮発性メモリ３０３は、１次電池などのバックアップ電源によりバックアップされたＳＲＡＭなどであっても構わない。
【００２８】
エンジンＩ／Ｆ３０７は、プリンタエンジン３０９とのインタフェース回路であり、画像形成したビデオデータを出力したり、プリンタエンジンとプリンタコントローラ間でのコマンド・ステータスの通信を行ったりする。操作部パネル３０８は、操作部Ｉ／Ｆ３０６を介してプリンタコントローラと通信を行い、オペレータがここを操作することによりプリンタに対する各種設定を直接行う。プリンタコントローラ内の各ブロック間のデータのやり取りはデータバス３００を介して行われる。
【００２９】
また、電源遮断検出回路３１１は、プリンタエンジンのＡＣ電源ＯＦＦを検出する回路であり、プリンタコントローラへの電源供給をバックアップ電源３１０からの電源供給に切り替える。電源遮断検出回路３１１は、電源遮断を検出したらＣＰＵ３０１に通知する機能も併せ持っている。また、本発明の実施の形態におけるバックアップ電源は、容量の大きなコンデンサ等の安価なバックアップ電源を想定しており、長時間の電源バックアップは期待していない。元々、不図示のハードディスクへライトアクセス中に電源が遮断された時に、不良セクタが生じてしまうのを防ぐために、実装されているもので、最低限ハードディスクのキャッシュ内のデータが全てハードディスクに書き込まれるまでの時間、電源をバックアップできれば良いものである。
【００３０】
次に、図４のフローチャートを参照することによって、本発明の実施の形態において、電源が不意に遮断された時の処理の流れを説明する。
【００３１】
プリントジョブの処理中に、プリンタの電源が誤って遮断された場合には、ＲＡＭ３０２に格納されたプリント未処理の画像データも消去されてしまう。このような不測の事態は、他のユーザが誤って電源スイッチをＯＦＦにしたり、電源コードに足を引っかけてコンセントを抜いてしまったり、あるいは、当該プリンタが使用している電源コンセントが接続しているブレーカが使用電気容量オーバーのため落ちたりすることにより生じる。また、電源事情の良くない国においては、電源瞬断が度々発生することが知られている。これらのトラブルが解消されてプリンタの電源が復帰しても、画像データが消失したままでは、プリントジョブの続行は不可能であるので、本発明の実施の形態では次のような処理を行う。
【００３２】
まず不測の電源遮断が生じたか否かを電源遮断検知手段３１１によって検出を行う。ステップＳ４０１において、何らかの不測の事態により電源が遮断されたとすると、電源遮断検知手段３１１が電源遮断を検知してバックアップ電源３１０による電源供給に切り替える（ステップＳ４０２）。また、それと同時に、電源遮断検知手段３１１は、例えば割り込みを発行することによってＣＰＵ３０１に電源が何らかの要因により遮断されたことを通知する。これにより、ＣＰＵ３０１は、画像形成装置が現在プリントジョブを処理中であるか否かの判断を行うことになる（ステップＳ４０３）。
【００３３】
もし、ステップＳ４０３において、プリントジョブの処理中でないのであれば、そのままバックアップ電源による電源供給が終了するのを待って電源が遮断されることになる。また、ステップＳ４０３において、プリントジョブを現在処理中であった場合は、まずホストコンピュータ１０１〜１０３から送られてきた画像情報データの中から、不図示の電子メールアドレス検出手段によって、送信元の電子メールアドレスが抽出される（ステップＳ４０４）。その後、ステップＳ４０４で抽出された送信元の電子メールアドレスに加えて、該当プリントジョブにおいて電源が遮断されるまでに排紙が完了しているページ数、およびプリントジョブ中断フラグを不揮発性メモリ３０３に書き込む（ステップＳ４０５）。ステップＳ４０３からステップＳ４０５までの一連の処理が、バックアップ電源３１０による電源供給が有効である間に行われることが前提である。ステップＳ４０５の処理が終了したら、そのままバックアップ電源による電源供給が終了するのを待って電源が遮断されることになる。
【００３４】
次に、一旦遮断された電源が再投入された後の画像形成装置における制御動作を図５のフローチャートを用いて説明する。
【００３５】
電源が復帰すると、まず最初にＲＯＭ３０４でブートを行った後に、初期化ルーチンを実行する（ステップＳ５０１）。その後、ＣＰＵ３０１は不揮発性メモリ３０３の所定のアドレスをリードして、プリントジョブ中断フラグが立っているかどうかを確認することにより、電源遮断前にプリントジョブが中断されたか否かを判断する（ステップＳ５０２）。上述したように、電源遮断前に電源遮断によってプリントジョブが中断された時には、プリントジョブ中断フラグが立っていることになる。この時、プリントジョブ中断フラグが立っていなかったら、特別な処理をすることなく通常の処理シーケンスに移行することになる。
【００３６】
一方、プリントジョブ中断フラグが立っていた場合は、画像形成装置の紙搬送系に用紙が滞留して用紙詰まりが生じているか否かの判断を行う（ステップＳ５０３）。用紙詰まりが生じている場合には、プリンタエンジン３０９の不図示のセンサにより用紙詰まりを検知して、エンジンＩ／Ｆ３０７を介してプリンタコントローラに用紙詰まりの通知を行う。ステップＳ５０３において、用紙詰まりが生じていた場合、ＣＰＵ３０１は電源遮断前に不揮発性メモリ３０３に格納した排紙済みのプリントページ数の情報をリードする。
【００３７】
また、さらに電源遮断により中断されたプリントジョブの送信元メールアドレスを不揮発性メモリ３０３からリードする。その後、電子メール作成プログラムが、上述した用紙詰まり情報、排紙済みページ数の情報、および電源遮断によるプリントジョブ中断情報を元に電子メールを作成して、送信元の電子メールアドレスへ送信を行う（ステップＳ５０４）。こうすることにより、送信者は自分の送信したプリントジョブが不測の事態によって電源が遮断され、中断されてしまったことを知ることができるのはもちろん、どのページまでは排紙出力が済んでいて、用紙詰まりが生じているなどの情報を電子メールによって知ることができる。
【００３８】
一方、ステップＳ５０３において、用紙詰まりが生じていなかった場合には、排紙出力済みのページ数、およびプリントジョブ中断情報のみを電子メールにて送信元に通知することになる（ステップＳ５０５）。その後、プリントジョブ中断フラグをクリアして（ステップＳ５０６）、通常の処理シーケンスに戻る。
【００３９】
以上のような処理を施すことにより、プリンタに何らかのトラブルが生じて電源が遮断されて、すでに受信してＲＡＭ３０２に格納済みの画像データが消失してしまっても、不揮発性メモリ３０３に格納されているプリントジョブ中断フラグ、排紙済みページ数、送信元電子メールアドレスを参照し、画像データの再送を要求してその転送を受けることにより、電源遮断前の状態に速やかに復帰してジョブ処理を再開することができる。また、電源遮断前の排紙済みのページ数を通知することにより無駄な用紙出力を抑制することができる。さらに、電源再投入時に用紙詰まりが生じているような場合は、併せて通知することで送信者にジャム復帰処理を促すことが可能になる。
【００４０】
以上、本発明に係るプリンタを実施の形態に基づいて説明してきたが、本発明の内容が、上述の実施の形態に限定されないのは勿論である。本実施の形態では、電子メールアドレス検知手段により、電子メールを検知してプリントジョブ情報を電子メールで通知したが、もっと簡易的なインスタントメールなどを用いて通知してもよい。
【００４１】
また、上記実施の形態においては、プリンタとネットワーク接続された端末装置の例としてＰＣを示したが、他の画像情報生成装置、例えば、ネットワーク接続可能な複合機やプリンタなどでもよい。
【００４２】
また、上記実施例では、画像形成装置の例としてレーザ方式のプリンタについて説明したが、レーザ方式のみならず他の例えばインクジェット方式のプリンタでもよいし、イメージリーダを備えたデジタル複写機であって、外部から入力された画像データによってもプリント可能なものであってもよい。
【図面の簡単な説明】
【００４３】
【図１】本発明の実施の形態に係る画像形成システムの全体図である。
【図２】本発明の実施の形態に係る画像形成装置のプリンタ部の断面構成図である。
【図３】本発明の実施の形態に係る画像形成装置のプリンタコントローラのブロック図である。
【図４】本発明の実施の形態において、電源が不意に遮断された時の処理を示すフローチャートである。
【図５】本発明の実施の形態において、電源が再投入された時の処理を示すフローチャートである。
【符号の説明】
【００４４】
１００  ネットワーク
１０１〜１０３  パーソナルコンピュータ
１０４  複合機
１０５  プリンタ
２０１  ポリゴンミラー
２０２〜２０４  ミラー
２０５  現像器
２０６  レジストコントローラ
２０７〜２０８  転写ベルト
２０９  定着器
２１０  感光ドラム
２１１  手差しトレイ
２１２〜２１３  シートカセット
３００  データバス
３０１  ＣＰＵ
３０２  ＲＡＭ
３０３  不揮発性メモリ
３０４  ＲＯＭ
３０５  ＬＡＮ  Ｉ／Ｆ
３０６  操作部Ｉ／Ｆ
３０７  エンジンＩ／Ｆ
３０８  操作部パネル
３０９  プリンタエンジン
３１０  バックアップ電源
３１１  電源遮断検出回路
【図１】
2006231591.tif 000003
【図２】
2006231591.tif 000004
【図３】
2006231591.tif 000005
【図４】
2006231591.tif 000006
【図５】
2006231591.tif 000007